(57)【要約】  【課題】展示空間や作業スペースを有効に確保し得る販売用ワゴンを提供する。  【解決手段】販売用ワゴンＷは、上述した前後面部２を矩形状に遮蔽し得る遮蔽部たるロールスクリーン２４と、前後面部２に設けた後述する遮蔽位置取付部２２に取り付けて前後面部２を非矩形状に遮蔽することによりロールスクリーン２４とともに展示空間Ｓの一面を遮蔽する遮蔽位置（Ｃ）をとり得る一方、ワゴン本体１に設けた後述する天板位置取付部１７に取り付けることにより天板位置をとり得る遮蔽天板２６とを少なくとも具備することを特徴とするものである。  【選択図】図２
2008061661.tif 000002
【特許請求の範囲】
【請求項１】
内部に展示空間を有するワゴン本体と、
前記展示空間の一面を矩形状に遮蔽し得る遮蔽部と、
前記展示空間の一面に設けた所定の位置に配置して当該展示空間の一面を非矩形状に遮蔽することにより前記遮蔽部とともに前記展示空間の一面を遮蔽する遮蔽位置をとり得る一方、ワゴン本体に設けた所定の位置に配置することにより天板位置をとり得る遮蔽天板とを少なくとも具備することを特徴とする販売用ワゴン。
【請求項２】
前記ワゴン本体を前記展示空間の一面を形成し得るフレームを有するものとし、
前記遮蔽天板を、前記フレームの内側に沿って前記展示空間の一面を遮蔽し得るものとしている請求項１記載の販売用ワゴン。
【請求項３】
前記遮蔽天板を前記遮蔽位置取付部に位置付ける遮蔽位置と前記遮蔽天板を前記天板位置取付部に位置付ける天板位置との間で前記遮蔽天板を相互に移動可能に支持し得る天板支持機構を具備するものとしている請求項１又は２記載の販売用ワゴン。
【請求項４】
前記天板支持機構を、前記遮蔽天板を少なくとも二軸以上の多軸廻りに回動可能に支持する多軸支持機構と、前記遮蔽天板における前記多軸支持機構に取り付ける取付位置を変更し得る取付位置変更機構とを有するものとしている請求項３記載の販売用ワゴン。
【請求項５】
前記多軸支持機構を、前記遮蔽天板を前記遮蔽位置から持ち出した持出し位置へと垂直軸廻りに旋回可能に移動させ得る支持機構と、前記遮蔽天板を前記持出し位置から前記天板位置へと水平軸廻りに回転可能に支持し得る支持端とを有するものとしている請求項４記載の販売用ワゴン。
【請求項６】
前記取付位置変更機構を、前記遮蔽天板の端面に設けた前記支持端を収容し得る長穴部を有するものとしている請求項５記載の販売用ワゴン。
【請求項７】
前記天板位置取付部を、前記ワゴン本体から突出し前記遮蔽天板を支持し得る支持棒を有するものとしている請求項１、２、３、４、５、６又は７記載の販売用ワゴン。
【請求項８】
前記ワゴン本体を、別体の補助ワゴンを収容し得る補助ワゴン収容部を有するものとしている請求項１、２、３、４、５又は６記載の販売用ワゴン。
【請求項９】
前記遮蔽部を、前記遮蔽天板とともに展示空間の一面を矩形状に遮蔽し得るロールスクリーンを有するものとしている請求項１、２、３、４、５、６、７又は８記載の販売用ワゴン。
【発明の詳細な説明】
【技術分野】
【０００１】
本発明は、移動式店舗等を構成し得る販売用ワゴンに関するものである。
【背景技術】
【０００２】
従来、組み立て式の屋台等を含む、移動式店舗を構成し得る販売用ワゴンが種々提案されている。そのような販売用ワゴンに共通する構造として、ワゴン本体の内部または当該ワゴン本体から突設させたフレームにより区成された空間を展示物を配置・陳列し得る展示空間とし、営業時など展示物を外方に露出させて展示し得る展示状態と、非営業時や移動時など、展示物を展示空間内に収容し展示空間を外部から例えば視認不能に遮蔽する遮蔽状態とをとり得るものとなっている。
【０００３】
そして、多くのものは、この遮蔽状態において展示空間を遮蔽するために供した扉や窓その他の遮蔽部材は、展示状態において上方へ跳ね上げて屋根として活用したり、又はワゴン本体に収納したりしているのが通例である（例えば、特許文献１参照）。
【特許文献１】特開２００４−２７０３１８号公報（図２参照）
【発明の開示】
【発明が解決しようとする課題】
【０００４】
しかしながら、上記特許文献に記載したもののように、扉又は窓を跳ね上げる態様を採用する場合、必ずしも跳ね上げた扉や窓が好適な位置に位置決めし得るものとは限らず、扉や窓その他の遮蔽部材の取付位置によっては、使用者の作業スペースの確保が難しい場合もある。また扉や窓その他の矩形状以外の形状を有する遮蔽部材をワゴン本体内に収容する場合においても、ワゴン本体内の収容スペースは限られている為、展示空間を制限してしまうことにもなりかねない。
【０００５】
特に、ワゴン本体の形状によっては前記扉や窓とは別に、矩形以外の不規則な形状を有する遮蔽部材の場合にはワゴン本体内に多数の不規則な形状の遮蔽部材を収納することを余儀なくされることとなってしまう。
【０００６】
本発明は、このような不具合に着目したものであり、展示空間や作業スペースを有効に確保し得る販売用ワゴンを提供する。
【課題を解決するための手段】
【０００７】
本発明は、このような目的を達成するために、次のような手段を講じたものである。すなわち、本発明に係る販売用ワゴンは、内部に展示空間を有するワゴン本体と、前記展示空間の一面を矩形状に遮蔽し得る遮蔽部と、前記展示空間の一面に設けた所定の位置に配置して当該展示空間の一面を非矩形状に遮蔽することにより前記遮蔽部とともに前記展示空間の一面を遮蔽する遮蔽位置をとり得る一方、ワゴン本体に設けた所定の位置に配置することにより天板位置をとり得る遮蔽天板とを少なくとも具備することを特徴とする。
【０００８】
このようなものであれば、展示空間を遮蔽するための矩形状以外の形状を有する遮蔽天板を天板として利用することにより、ワゴン本体内に収容して展示空間やワゴン本体内の空間を制限してしまうことを有効に回避し得るものとすることができるとともに、天板位置取付部に取り付けた際には天板上のスペースを新たに有効に使用することが可能となる。
【０００９】
ワゴン本体を展示空間の一面を形成し得るフレームを有するものである場合、ワゴン本体が形成する展示空間の一面が不規則な形状を有するものであっても展示空間の一面を好適に遮蔽し得るものとするためには、遮蔽天板を、フレームの内側に沿って展示空間の一面を遮蔽し得るものとすることが望ましい。
【００１０】
遮蔽天板を展示部を遮蔽する遮蔽位置取付部及び展示部を露出し得る天板位置取付部に簡便に位置変更し得るようにするためには、遮蔽天板を遮蔽位置取付部に位置付ける遮蔽位置と遮蔽天板を天板位置取付部に位置付ける天板位置との間で遮蔽天板を相互に移動可能に支持し得る天板支持機構を具備するものとすることが望ましい。
【００１１】
当該天板支持機構を遮蔽位置取付部と天板位置取付部との間の位置変更を簡単且つ確実に行わせるための態様として、前記遮蔽天板を少なくとも二軸以上の多軸廻りに回動可能に支持する多軸支持機構と、遮蔽天板における多軸支持機構に取り付ける取付位置を変更し得る取付位置変更機構とを有しているものを挙げることができる。そして、多軸支持機構の好ましい具体的な構成として、遮蔽天板を遮蔽位置から持ち出した持出し位置へと垂直軸廻りに旋回可能に移動させ得る支持機構と、遮蔽天板を持出し位置から天板位置へと水平軸廻りに回転可能に支持し得る支持端とを有するものを挙げることができる。
【００１２】
一方、遮蔽天板に設けた取付位置変更機構の好ましい態様として、遮蔽天板の端面に設けた支持端を収容し得る長穴部を有するものとすれば、遮蔽天板を支持端から離間させることなく長穴部内を移動させることによって遮蔽天板の移動動作を一連の動作で行い得るものとなる。
【００１３】
また、遮蔽天板を必要時にのみ有効に支持し得る天板支持部の具体的な態様として、ワゴン本体から突出し遮蔽天板を支持し得る支持棒を有するものが望ましい。
【００１４】
また、ワゴン本体内の空間を有効に活用するためには、ワゴン本体を、別体の補助ワゴンを収容し得る補助ワゴン収容部を有するものとすることが好ましい。
【００１５】
そして、遮蔽天板とともに展示空間の一面を矩形状に有効に遮蔽し得るものとして、遮蔽部を、展示空間の一面を矩形状に遮蔽し得るロールスクリーンを採用することが望ましい。
【発明の効果】
【００１６】
本発明によれば、展示空間を遮蔽するための矩形状以外の形状を有する遮蔽部材を、遮蔽天板とし、展示物を展示する際には遮蔽天板を別途天板として利用することにより、ワゴン本体内に収容して展示空間やワゴン本体内の空間を制限してしまうことを有効に回避し得るものとすることができる。また、遮蔽天板を天板位置取付部に取り付けた際には天板上のスペースを新たに有効に使用することが可能となる。
【発明を実施するための最良の形態】
【００１７】
以下、本発明の一実施の形態について図面を参照して説明する。
【００１８】
本実施形態に係る販売用ワゴンＷは、例えば屋外や商業施設内に設置する移動式店舗の運営に好適に供されるものであり、内部に形成した展示空間Ｓに商品等の展示物を陳列して、展示空間Ｓを外部に対して遮蔽することによって展示空間Ｓ内の展示物を収納し、店舗の移動等を好適に行うことができる図１に示す移動状態（Ｍ）と、展示空間Ｓを外部に開放して販売業務等を好適に行うことができる図２、図３及び図４に示す展示状態（Ｔ）とをとり得るものである。
【００１９】
販売用ワゴンＷは、同図に示すように、内部に展示空間Ｓを有するワゴン本体１と、当該ワゴン本体１に取り付けられる展示空間Ｓの一面である前後面２ａを遮蔽し得る前後面部２と、展示空間Ｓの側面を遮蔽し得る側面部３と、ワゴン本体１に収容され得る補助ワゴン４とを主に有しているものである。
【００２０】
ここで本実施形態に係る販売用ワゴンＷは、上述した前後面部２を矩形状に遮蔽し得る遮蔽部たるロールスクリーン２４と、前後面部２に設けた後述する遮蔽位置取付部２２に取り付けて前後面部２を非矩形状に遮蔽することによりロールスクリーン２４とともに展示空間Ｓの一面を遮蔽する遮蔽位置（Ｃ）をとり得る一方、ワゴン本体１に設けた後述する天板位置取付部１７に取り付けることにより天板位置をとり得る遮蔽天板２６とを少なくとも具備することを特徴とするものである。
【００２１】
以下、販売用ワゴンＷの構成について具体的に詳述する。
【００２２】
販売用ワゴンＷは、上述の通り、ワゴン本体１と、側面部３と、補助ワゴン４と、そして前後面部２によって主に構成している。
【００２３】
ワゴン本体１は、図１、図２、図３及び図４に示すように、ワゴン本体１全体を移動可能に支持し得る基台１１と、基台１１に支持された主天板１５と、主天板１５上に配置された展示棚１８と、主天板１５上に設置することにより内部に展示棚１８を覆い得る展示空間Ｓを形成し得るフレーム１９とによって構成されている。
【００２４】
基台１１は、その下方に設けたキャスタ１３と、内部に補助ワゴン４を収容し得る補助ワゴン収容部１４とを有している。また基台１１には４つの車輪１２を取り付けているが、本実施形態においてこの車輪１２は基台１１を支持する役割を担っておらず、専らキャスタ１３によって基台１１を支持させている。なお本実施形態では図示していないが、補助ワゴン収容部１４は基台１１の両側方に形成されているので、１台のワゴン本体１に２台の補助ワゴン４を収容することができる。また補助ワゴン収容部１４には収容した補助ワゴン４をワゴン本体１に収容した状態でロックし得る図示しないロック機構を設けている。
【００２５】
主天板１５は、基台１１に支持されて上側に展示棚１８とフレーム１９とを配置している。また主天板１５は側面３ａ側に把手１６を設けるとともに、前後面２ａ側に両面計８本の支持棒１７ａを突出可能に取り付けることにより、後に詳述する所定の位置である天板位置取付部１７を構成している。
【００２６】
展示棚１８は、主天板１５上に立設した計５本の棚支柱１８３に棚板１８１を取り付けるとともに、当該展示棚１８及び周囲を好適に照射し得る照明部１８２を設けている。なお当該照明部１８２は展示棚１８の側面３ａ側にのみ図示しているが、展示棚１８付近を隅々まで光を照射するに足る数量を、図示されていない位置にも適宜配置されている。
【００２７】
フレーム１９は、主天板１５の両側縁部を概略部分円弧状に２本架け渡して配置されることにより、各フレーム１９の内側に区成される前後面２ａに前後面部２を、２本のフレーム１９間に区成される曲面である側面３ａに側面部３を構成し得るものとなっている。また対向する２本のフレーム１９の内側には、後述する側面部３のスライド扉３３を支持し得るレール１９ａを形成している。
【００２８】
側面部３は、図１、図２、図３及び図４に示すように、展示空間の側面３ａを遮蔽し得るものであり、対向する２本のフレーム１９間上端に設けた天井３１と、天井３１に跳ね上げ可能に設けられた例えば磨り硝子加工を施した半透明アクリル板からなるスウィング扉３２と、レール１９ａに沿って移動し得るスウィング扉３２と同様の素材からなるスライド扉３３とを有している。当該側面部３は、移動状態（Ｍ）においてスライド扉３３を下端まで移動させるとともにスウィング扉３２を閉めることによって遮蔽し得るように構成している。なおスウィング扉３２とスライド扉３３とは上述のように例えば磨り硝子加工を施した半透明アクリル板によって構成することにより、本実施形態では、展示状態（Ｔ）においてスライド扉３３を天井部３１の下方に完全には格納させずに一部を露出した状態にとどめ、スライド扉３３の当該露出した部分並びにスウィング扉３２に対して照明部１８２の照明を反射させることによって、照明部１８２による好適な視覚効果を発揮させ得るものとしている。しかし勿論、スウィング扉３２及びスライド扉３３は上述の素材並びに構成に限定されずに種々の素材、構成を採用することができる。
【００２９】
補助ワゴン４は、特に図２並びに図５に示すように、移動状態（Ｍ）においてはワゴン本体１内に収容されるとともに展示状態（Ｔ）ではワゴン本体１に併設し、例えばレジ等の道具を好適に配置し得るものとなっている。当該補助ワゴン４は、前記レジ等を好適に収納し得る収納部４１と、移動可能に接地するキャスタ４３と、移動させる際に使用者に好適に把持され得る引手４２とを有している。
【００３０】
前後面部２は、ワゴン本体１において２本のフレーム１９に対応する２面にそれぞれ同様のものが設けられているので、本実施形態では図示手前側の前後面部２に対する説明を行うこととする。
【００３１】
当該前後面部２は、図１、図２、図３及び図４に示すように、フレーム１９の内側に配置された面板部２１と、面板部２１に取り付けられ前後面部２を矩形状に遮蔽する遮蔽部たるロールスクリーン２４と、面板部２１においてロールスクリーン２４上側に取り付けた庇２５と、フレーム１９の内側に沿って非矩形状に展示空間Ｓを遮蔽し得る遮蔽天板２６とを有しているものである。ロールスクリーン２４は、前後面２ａの略中央部を矩形状に遮蔽するものであるが、当該ロールスクリーン２４の他に本発明に係る遮蔽部を構成し得るものとして、窓や跳ね上げ扉など、種々のものを採用することができる。また、庇２５の形状や大きさについても種々の態様のものを用いることができる。そして面板部２１は、本実施形態においてロールスクリーン２４及び遮蔽天板２６によって遮蔽し得ない部分を遮蔽し得るものであるが、例えばロールスクリーン２４と遮蔽天板２６のみで前後面２ａを遮蔽し得る態様としてもよい。そして面板部２１は、本実施形態において、遮蔽天板２６の取付位置を位置決めする所定の位置たる遮蔽位置取付部２２と、遮蔽天板２６を支持する後に詳述する多軸支持機構２３とを設けている。また遮蔽天板２６は、天板として使用し得る天板位置（Ｆ）と、前後面２ａを遮蔽する遮蔽位置（Ｃ）とを好適にとり得るように、後述する取付位置変更機構２７を有している。
【００３２】
しかして本実施形態では、遮蔽天板２６を遮蔽位置取付部２２に位置付ける遮蔽位置（Ｃ）と遮蔽天板２６を天板位置取付部１７に位置付ける天板位置（Ｆ）との間で遮蔽天板２６を相互に移動可能に支持し得る天板支持機構２０を具備するものとしている。
【００３３】
以下、遮蔽天板２６並びに天板支持機構２０の構成について、図６、図７及び図８を用いて詳述する。
【００３４】
天板支持機構２０は、遮蔽天板２６を少なくとも二軸以上の多軸廻りに回動可能に支持する面板部２１に設けた多軸支持機構２３と、遮蔽天板２６における多軸支持機構２３に取り付ける取付位置を変更し得る遮蔽天板２６側に設けた取付位置変更機構２７とによって構成しているものである。
【００３５】
多軸支持機構２３は、遮蔽天板２６を遮蔽位置（Ｃ）から持ち出した持出し位置（Ｂ）へと垂直軸廻りに旋回可能に移動させ得る支持機構２３０を有している。当該支持機構２３０は、後述する水平部２３５を支持し垂直軸廻りに旋回可能に動作し得る旋回部２３１と、主天板１５並びに面板部２１に取り付けられ旋回部２３１を旋回可能に支持する支持軸２３２と、旋回部２３１に対して当該旋回部２３１から下方へ突出させた形状に固定され例えば図６に示す遮蔽位置（Ｃ）において天板側に当接させて旋回部２３１の高さ寸法を位置決めする挿入棒２３３と、遮蔽天板２６を天板位置（Ｆ）とし得る箇所にある挿入棒２３３を挿入させる挿入穴２３４（図７）と、遮蔽天板２６を持出し位置（Ｂ）から天板位置（Ｆ）へと水平軸廻りに回転可能に支持し得る水平部２３５を有している。そして水平部２３５は、支持軸２３２から水平方向に一定寸法突出し下方へ屈曲する基端部２３６と、当該基端部２３６から水平方向へ伸びて遮蔽天板２６を後述する持出し位置（Ｂ）において回動させ得る支持端２３７と、支持端２３７において２箇所に設けられ、回動の際に遮蔽天板２６側に接する環部材２３８と、支持端２３７の先端において後述する長穴部２７０に設けた奥穴２７３へ挿入されて遮蔽位置（Ｃ）における遮蔽天板２６を支持端２３７に対して位置決めする先端部２３９とを有している。
【００３６】
一方、取付位置変更機構２７は、遮蔽天板２６の端面に設けた長穴部２７０を有している。当該長穴部２７０は、遮蔽天板２６の端縁付近において環部材２３８を挿通させ得る挿通口２７１と、挿通口２７１に連続し且つ環部材２３８が抜け得ない寸法に設定された抜け止め口２７２と、先端部２３９を挿入させて遮蔽天板２６を遮蔽位置（Ｃ）となるよう上下方向の位置決めをし得る奥穴２７３とを有している。
【００３７】
そして、天板支持機構２０によって遮蔽天板２６を前後面２ａを遮蔽する遮蔽位置（Ｃ）から、主天板１５と面一に配置される天板位置（Ｆ）へと位置変更する動作について、図６、図７及び図８を用いて詳述する。
【００３８】
まず、図６に示す遮蔽位置（Ｃ）において、遮蔽天板２６の長穴部２７０の奥穴２７３の位置に水平部２３５の先端部２３９が位置決めされることにより、遮蔽天板２６は旋回部２３１に対して上下方向に位置決めされている。また旋回部２３１は当該旋回部２３１に固定された挿入棒２３３が天板側に当接することによって支持軸２３２における上端付近に位置決めされた状態となっている。なお、この状態において、遮蔽天板２６は長穴部２７０に屈曲した形状を有する基端部２３６を収容している為、水平軸すなわち支持端２３７廻りの回動は許容されず、垂直軸すなわち支持軸２３２廻りの旋回方向の移動のみが許容された状態となっている。
【００３９】
そして図７は、図６に示す状態から、遮蔽天板２６を所定角度旋回させ、しかる後、遮蔽天板２６を水平部２３５から若干寸法引き出し、遮蔽天板２６を持出し位置（Ｂ）とした状態を示している。この状態において水平部２３５の先端部２３９は奥穴２７３から抜けて、基端部２３６が長穴部２７０の外側に位置することによって遮蔽天板２６は長穴部２７０に沿った上下方向の移動並びに水平軸すなわち支持端２３７廻りの回動が許容された状態となる。
【００４０】
次に、図７に示す持出し位置（Ｂ）から遮蔽天板２６を図８に示す天板位置（Ｆ）とするためには以下の動作を行う。すなわち、遮蔽天板２６を支持軸２３２廻りにさらに旋回させて旋回部２３１をさらに旋回させる。そうすることにより挿入棒２３３が天板側に設けた挿入穴２３４に挿入させて、旋回部２３１による旋回を禁止させるとともに旋回部２３１を支持軸２３２の下端まで落下させる。そして遮蔽天板２６を支持端２３７廻りに回転させて水平とする。このとき、支持端２３７に取り付けた環部材２３８と長穴部２７０とが当接しながら好適に回転することとなる。さらに長穴部２７０の端まで遮蔽天板２６を水平方向にスライドさせることによって位置決めする。そして支持棒１７ａを突出させて下方より遮蔽天板２６が好適に支持された状態、すなわち天板位置（Ｆ）とする。同図に示すように基端部２３６が屈曲する寸法により、主天板１５に対する遮蔽天板２６の上下方向の位置決めが正確に行われるものとなっている。
【００４１】
以上のような構成とすることにより、本実施形態に係る販売用ワゴンＷは、前後面２ａを遮蔽する遮蔽位置（Ｃ）をとり得る一方、天板位置（Ｆ）をとり得る遮蔽天板２６とを少なくとも具備しているので、展示空間Ｓを遮蔽するための矩形状以外の形状を有する遮蔽天板２６を天板として利用することにより、遮蔽天板２６をワゴン本体１内に収容して展示空間Ｓやワゴン本体１内の空間を制限してしまうことを有効に回避し得るとともに、天板位置取付部１７に取り付けた際には天板上のスペースを新たに有効に使用することが可能なものとなっている。
【００４２】
また、遮蔽天板２６をフレーム１９の内側に沿って展示空間Ｓの一面を遮蔽し得るものとしているので、本実施形態のような矩形以外の形状を有する前後面２ａを好適に遮蔽し得るものとなっている。
【００４３】
特に本実施形態では、遮蔽位置（Ｃ）と天板位置（Ｆ）との間で遮蔽天板２６を相互に移動可能に支持し得る天板支持機構２０を設けることにより、簡単且つ迅速な作業により好適に遮蔽天板２６の位置を変更し得るものとなっている。
【００４４】
具体的には、遮蔽位置取付部２２と天板位置取付部１７との間の位置変更を簡単且つ確実に行わせるための天板支持機構２０の構成として、遮蔽天板２６を旋回軸並びに支持端２３７という少なくとも二軸廻りに回動可能に支持する多軸支持機構２３と、支持端２３７を含む水平部２３５に取り付ける取付位置を変更し得る取付位置変更機構２７を遮蔽天板２６側に設けて、正確な位置変更を実現している。そして詳細には、遮蔽天板２６を遮蔽位置（Ｃ）から持ち出した持出し位置（Ｂ）へと垂直軸廻りに旋回可能に移動させ得る支持機構２３０と、遮蔽天板２６を持出し位置（Ｂ）から天板位置（Ｆ）へと水平軸廻りに回転可能に支持し得る支持端２３７とを設けて２軸廻りの動作を簡単且つ正確に実現し得るものとなっている。
【００４５】
そして取付位置変更機構２７として、遮蔽天板２６の端面に設けた支持端２３７を収容し得る長穴部２７０を採用しているため、遮蔽天板２６を支持端２３７から離間させることなく長穴部２７０内を移動させることによって遮蔽天板２６の移動動作を一連のスムーズな動作で行い得るものとなっている。
【００４６】
また天板支持部として、ワゴン本体１から突出し遮蔽天板２６を支持し得る支持棒１７ａを採用しているので、遮蔽天板２６を必要時にのみ簡単且つ確実に支持させ得るものとなっている。
【００４７】
そして、本実施形態に係る販売用ワゴンＷは、ワゴン本体１内に補助ワゴン４展示空間Ｓを設けて、ワゴン本体１内の空間を有効に活用した移動状態（Ｍ）を実現するとともに、使用者によって使い勝手の良い展示状態（Ｔ）を実現し易いものとなっている。
【００４８】
また本実施形態では前後面２ａを矩形状に遮蔽する遮蔽部の一態様として、コンパクトに収容することができるロールスクリーン２４を採用して前後面部２の構成を簡素なものとしている。
【００４９】
以上、本発明の実施形態について説明したが、各部の具体的な構成は、上述した実施形態のみに限定されるものではなく、本発明の趣旨を逸脱しない範囲で種々変形が可能である。
【００５０】
例えば、上記実施形態において部分円弧状のフレームを採用し遮蔽天板をそれに準じたものとしたが、遮蔽天板の形状は上記のものに限られることはなく種々の形状を有する面に採用することが出来る。また勿論、天板位置として使用する箇所は、遮蔽位置として遮蔽天板を位置付ける位置或いはその近傍に限定されることはなく、それぞれの用途に最も適した箇所に設定すればよい。
【００５１】
その他、各部の具体的構成についても上記実施形態に限られるものではなく、本発明の趣旨を逸脱しない範囲で種々変形が可能である。
【図面の簡単な説明】
【００５２】
【図１】本発明の一実施形態に係る外観図。
【図２】同上。
【図３】同正面図。
【図４】同側面図。
【図５】同実施形態に係る補助ワゴンを示す図。
【図６】同実施形態に係る動作説明図。
【図７】同上。
【図８】同上。
【符号の説明】
【００５３】
１…ワゴン本体
１４…補助ワゴン収容部
１７…所定の位置（天板位置取付部）
１７ａ…支持棒
１９…フレーム
２ａ…展示空間の一面（前後面）
２０…天板支持機構
２２…所定の位置（遮蔽位置取付部）
２３…多軸支持機構
２３０…支持機構
２３７…支持端
２４…遮蔽部、ロールスクリーン（ロールスクリーン）
２６…遮蔽天板
２７…取付位置変更機構
２７０…長穴部
Ｂ…持出し位置
Ｃ…遮蔽位置
Ｆ…天板位置
Ｓ…展示空間
Ｗ…販売用ワゴン
【図１】
2008061661.tif 000003
【図２】
2008061661.tif 000004
【図３】
2008061661.tif 000005
【図４】
2008061661.tif 000006
【図５】
2008061661.tif 000007
【図６】
2008061661.tif 000008
【図７】
2008061661.tif 000009
【図８】
2008061661.tif 000010